Podtech/llm-jp-corpus-v4-ja_patent huggingface dataset:
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
論理情報をアナログ信号に結合するマルチプレクサを含む送信回路と、
受信回路と、
前記送信回路及び前記受信回路に接続され、前記送信回路と前記受信回路との間で論理情報を有するアナログ信号を同時に伝送する、通信リンクと
からなり、前記受信回路は、前記アナログ信号の復元に影響を与えることなく、受信した信号から前記論理情報を抽出するデマルチプレクサを含む、システム・イン・パッケージ（ＳｉＰ）。
【請求項２】
前記マルチプレクサは、
正のデジタルコード（＋ＤＯ）を受信する第１の入力、共通モード情報（ＣＭＣＯＤＥ）を受信する第２の入力、及び、出力を有する第１の加算回路と、
負のデジタルコード（−ＤＯ）を受信する第１の入力、共通モード情報（ＣＭＣＯＤＥ）を受信する第２の入力、及び、出力を有する第２の加算回路と、
前記第１の加算回路の出力に接続された第１のデジタルアナログコンバータと、
前記第２の加算回路の出力に接続された第２のデジタルアナログコンバータと
を含む、請求項１に記載のシステム・イン・パッケージ（ＳｉＰ）。
【請求項３】
前記デマルチプレクサは、ゼロ交差検出回路と、正の共通モード検出器と、負の共通モード検出器とを含む、請求項１に記載のシステム・イン・パッケージ（ＳｉＰ）。
【請求項４】
前記デマルチプレクサは論理情報デコーダを含む、請求ク３に記載のシステム・イン・パッケージ（ＳｉＰ）。
【請求項５】
前記送信回路は、前記論理情報を出力するマイクロコントローラと、アナログ信号を出力するデジタル信号プロセッサとを含む、請求項１に記載のシステム・イン・パッケージ（ＳｉＰ）。
【請求項６】
前記制御信号と前記共通モード信号は、前記送信装置から前記受信装置へ同時に伝送され、前記制御信号と前記共通モード信号は同時に（即ち、順番にではなく）処理される、請求項１に記載のシステム・イン・パッケージ（ＳｉＰ）。
【請求項７】
前記送信回路はデジタルバックエンド集積回路であり、前記受信回路はアナログフロントエンド集積回路である、請求項１に記載のシステム・イン・パッケージ（ＳｉＰ）。
【請求項８】
前記アナログ信号は差動データ信号を含み、前記バイナリデータは、起動設定信号、ゼロ交差検出信号、低速制御信号、及び、共通モードノイズの影響を受けない他の信号を含む、請求項１に記載のシステム・イン・パッケージ（ＳｉＰ）。
【請求項９】
前記通信リンクは、無線リンク、有線リンク、導体、及び、一対の差動導体のうちのいずれか１つである、請求項１に記載のシステム・イン・パッケージ（ＳｉＰ）。
【請求項１０】
共通通信リンクを介した信号伝送のためのシステムであって、
送信側に設けられ、バイナリデータをアナログ信号に埋め込むマルチプレクサと、
受信側に設けられ、受信したアナログ信号から前記バイナリデータを抽出するデマルチプレクサと
を含み、該システムは、受信したアナログ信号からのデータの復元に影響を与えることがない、システム。
【請求項１１】
前記共通通信リンクは、無線リンク、有線リンク、導体、及び、導体の差動対のうちのいずれか１つからなり、前記アナログ信号は差動データ信号を含み、前記バイナリデータは、起動設定信号、ゼロ交差検出信号、低速制御信号、及び、共通モードノイズの影響を受けない他の信号のうちのいずれか１つである、請求項１０に記載のシステム。
【請求項１２】
前記デマルチプレクサは、
アナログ信号を受信し、該アナログ信号に基づいて同期信号を生成するゼロ交差検出器と、
前記同期信号を使用して前記バイナリデータを抽出する共通モード信号検出器と
を含む、請求項１０に記載のシステム。
【請求項１３】
前記デマルチプレクサは、抽出された前記バイナリデータを受信し、該バイナリデータをデコードするデコーダを含む、請求項１０に記載のシステム。
【請求項１４】
前記マルチプレクサは、デジタルバックエンド集積回路において実施され、前記デマルチプレクサは、アナログフロントエンド集積回路において実施される、請求項１０に記載のシステム。
【請求項１５】
前記システムは、システム・イン・パッケージ（ＳｉＰ）、及びマルチチップ・モジュールのうちのいずれか一方において実施される、請求項１０に記載のシステム。
【請求項１６】
送信回路と受信回路との間で信号をやりとりする方法であって、
論理情報をアナログ信号に埋め込むステップと、
送信回路が、論理情報を有する前記アナログ信号を伝送するステップと、
受信回路が、論理情報を有する前記アナログ信号を受信するステップと、
受信したアナログ信号から前記論理情報を抽出するステップと
からなる方法。
【請求項１７】
前記論理情報をアナログ信号に埋め込むステップは、
論理情報を受信するステップと、
アナログ信号を受信するステップと
を含む、請求項１６に記載の方法。
【請求項１８】
前記論理情報を有するアナログ信号を伝送するステップは、論理情報を有する前記アナログ信号を導体の差動対を介して伝送することからなる、請求項１６に記載の方法。
【請求項１９】
前記受信したアナログ信号から論理情報を抽出するステップは、
受信した前記アナログ信号を使用して同期信号を生成するステップと、
前記同期信号を使用して前記論理情報を抽出するステップと、
前記論理情報をデコードするステップと
を含む、請求項１６に記載の方法。
【請求項２０】
受信した前記アナログ信号からデータ信号を復元するステップと、
共通モード信号である前記論理情報を破棄するステップと
を更に含む、請求項１６に記載の方法。
【手続補正書】
【提出日】平成21年1月26日(2009.1.26)
【手続補正１】
【補正対象書類名】特許請求の範囲
【補正対象項目名】全文
【補正方法】変更
【補正の内容】
【特許請求の範囲】
【請求項１】
第１の処理装置上で実行するアプリケーション・プログラムに代わってブレンド・モードの作業を実行する、コンピュータによって実行される方法であって、
第１の画素の色を表す第１の情報を受信するステップと、
第２の画素の色を表す第２の情報を受信するステップと、
前記第１の画素の色と前記第２の画素の色とを混合する公式を表す情報を受信ステップと、
前記第１の情報および前記第２の情報に前記公式を適用して、コンピュータモニター上に表示される第３の画素の色を表す第３の情報を形成するステップであって、前記公式を適用するステップは、第２の処理装置によって実行され、前記公式を表す情報を受信するステップは、前記第２の処理装置上で実行されるとき、前記第２の処理装置に前記第１の画素の色と前記第２の画素の色を混合するための公式を適用させるプログラム・コードを受信するステップと、
前記第１の画素はソース・プリミティブの一部であり、前記第２の画素は出力先プリミティブの一部であり、
前記第２の処理装置で前記出力先プリミティブを受信するステップと、
前記第２の処理装置で前記ソース・プリミティブを受信するステップと、
前記プログラム・コードを設定してソースおよび出力先プリミティブを使用するステップと、
前記プログラム・コードを実行するステップと、
前記第３の画素を出力先レンダー対象に描くステップと
を有することを特徴とすることを特徴とする方法。
【請求項２】
前記公式を表す情報を受信するステップは、前記第１の処理装置から前記公式を表す情報を受信するステップを含むことを特徴とする請求項１に記載の方法。
【請求項３】
前記プログラム・コードは、画素シェイダの少なくとも一部を含むことを特徴とする請求項１に記載の方法。
【請求項４】
前記第２の処理装置は、
前記出力先レンダー対象からの出力先プリミティブをコピーして、前記出力先プリミティブを提供し、および
前記出力先プリミティブのコピーを出力先テキスチャマップ内に配置する
ことを特徴とする請求項１に記載の方法。
【請求項５】
前記第１の処理装置は、コンピュータ上に配置され、前記第２の処理装置は、前記コンピュータ上に配置されることを特徴とする請求項１に記載の方法。
【請求項６】
前記第１の処理装置は、第１のコンピュータ上に配置され、前記第２の処理装置は、第２のコンピュータ上に配置されることを特徴とする請求項１に記載の方法。
【請求項７】
前記第１のコンピュータは、サーバ・コンピュータであり、前記第２のコンピュータは、前記サーバ・コンピュータのクライアントである請求項６に記載の方法。
【請求項８】
前記第１の情報は、一組の値Ｒ，Ｇ，Ｂを含むことを特徴とする請求項１に記載の方法。
【請求項９】
前記公式は、ブレンド・モードであることを特徴とする請求項１に記載の方法。
【請求項１０】
第１の画素の色を表す第１の情報を受信するステップと、
第２の画素の色を表す第２の情報を受信するステップと、
前記第１の画素の色と前記第２の画素の色とを混合する公式を表す情報を受信するステップと、
前記第１の情報および前記第２の情報に前記公式を適用して、コンピュータモニター上に表示される第３の画素の色を表す第３の情報を形成するステップであって、前記公式を適用するステップは、第１の処理装置上で実行されるアプリケーション・プログラムに代わって第２の処理装置によって実行される形成するステップと
前記第２の処理装置で出力先プリミティブを受信するステップと、
前記第２の処理装置でソース・プリミティブを受信するステップと、
前記公式を適用するためのプログラム・コードを前記第１の情報および前記第２の情報に設定して、ソースおよび出力先プリミティブを使用するステップと、
前記プログラム・コードを実行するステップと、
前記第３の画素を出力先レンダー対象に描くステップと
を実行するためのコンピュータ実行可能な命令を有するコンピュータ読み取り可能な媒体。
【請求項１１】
前記出力先レンダー対象から前記出力先プリミティブをコピーし、前記出力先プリミティブのコピーを形成するステップと、
前記出力先テキスチャマップ内に前記出力先プリミティブのコピーを配置するステップと
を実行するためのコンピュータ実行可能な命令を有することを特徴とする請求項１０に記載のコンピュータ読み取り可能な媒体。
【請求項１２】
第１の処理装置上で実行するアプリケーション・プログラムに代わってブレンド・モードの作業を実行する、コンピュータによって実行される方法であって、
第１の画素の色を表す第１の情報を受信するステップと、
第２の画素の色を表す第２の情報を受信するステップと、
前記第１の画素の色と前記第２の画素の色とを混合する公式を表す情報を受信ステップと、
前記第１の情報および前記第２の情報に前記公式を適用して、コンピュータモニター上に表示される第３の画素の色を表す第３の情報を形成するステップと
を有し、前記公式を適用するステップは、前記第１の画素の色と前記第２の画素の色とを混合する前記公式を表す情報を前記第１の処理装置から受信する第２の処理装置によって実行され、前記第１の処理装置は、第１のコンピュータ上に配置され、前記第２の処理装置は、第２のコンピュータ上に配置されることを特徴とする方法。
【請求項１３】
前記公式を表す情報を受信するステップは、前記第１の処理装置から前記公式を表す情報を受信するステップを含むことを特徴とする請求項１２に記載の方法。
【請求項１４】
前記公式を表す情報を受信するステップは、前記第２の処理装置上で実行されるとき、前記第２の処理装置に前記第１の画素の色と前記第２の画素の色を混合するための公式を適用させるプログラム・コードを受信するステップを含むことを特徴とする請求項１２に記載の方法。
【請求項１５】
前記プログラム・コードは、画素シェイダの少なくとも一部を含むことを特徴とする請求項１４に記載の方法。
【請求項１６】
前記第１の画素はソース・プリミティブの一部であり、前記第２の画素は出力先プリミティブの一部であり、
前記第２の処理装置で出力先プリミティブを受信するステップと、
前記第２の処理装置でソース・プリミティブを受信するステップと、
前記プログラム・コードを設定して前記出力先プリミティブおよびソース・プリミティブを使用するステップと、
前記プログラム・コードを実行するステップと、
前記第３の画素を出力先レンダー対象に描くステップと
前記第２の処理装置で、
前記出力先レンダー対象から前記出力先プリミティブをコピーし、前記出力先プリミティブのコピーを形成するステップと、
前記出力先テキスチャマップ内に前記出力先プリミティブのコピーを配置するステップと
をさらに有することを特徴とする請求項１２に記載の方法。
【請求項１７】
前記第１のコンピュータは、サーバ・コンピュータであり、前記第２のコンピュータは、前記サーバ・コンピュータのクライアントである請求項１２に記載の方法。
【請求項１８】
前記第１の情報は、一組の値Ｒ，Ｇ，Ｂを含むことを特徴とする請求項１２に記載の方法。
【請求項１９】
前記公式は、ブレンド・モードであることを特徴とする請求項１２に記載の方法。
【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
遊技球を払出す払出装置と、
前記払出装置によって払出された遊技球を貯留する上皿と、
前記上皿の下方に設けられ、当該上皿の余剰の遊技球を貯留する下皿と、
前記払出装置が取り付けられるベースドアと、
前記ベースドアの前面側に設けられ、発射装置から発射された遊技球のうち遊技領域に到達しなかった遊技球を前記下皿に払い出すためのファール球通路と、
前記ファール球通路に設けられ、当該ファール球通路内の遊技球が満杯になったことを検出する検出スイッチとを有する、
ことを特徴とする遊技機。
【請求項２】
前記検出スイッチは、
所定光量の光を発する発光部、および前記発光部から発光された光を受光するとともに受光した光を検出信号に変換する受光部からなるフォトセンサと、
前記ファール球通路の内部に突出した部位を備え、前記ファール球通路が遊技球で満杯に達していないときには、前記発光部から前記受光部への光を遮断する位置となり、前記ファール球通路が遊技球で満杯に達したときは、前記部位が遊技球に押圧されて前記発光部から前記受光部への光路を形成する位置に回動するリンク部材とを有する、
ことを特徴とする請求項１記載の遊技機。
【請求項３】
前記上皿の余剰の遊技球を前記ファール球通路へ誘導する誘導通路を更に備えた
ことを特徴とする請求項１または２記載の遊技機。
【請求項４】
前記検出スイッチによって遊技球が満杯になったことが検出された場合に、当該遊技球が満杯になったことに対する予め設定される処理を実行する処理部を更に備えた
ことを特徴とする請求項１〜３のうち何れか一項に記載の遊技機。
【請求項５】
前記処理部は、前記払出装置に対し遊技球の払出しを停止させる処理を実行する
ことを特徴とする請求項１〜４のうち何れか一項に記載の遊技機。
【請求項６】
前記検出スイッチは、前記ファール球通路に設けられて遊技球の流下方向を変化させる屈曲部の頂点に設けられている
ことを特徴とする請求項１〜５のうち何れか一項に記載の遊技機。
【手続補正２】
【補正対象書類名】明細書
【補正対象項目名】００１０
【補正方法】変更
【補正の内容】
【００１０】
上記課題を解決するため、請求項１に記載の本発明の遊技機は、遊技球を払出す払出装置と、前記払出装置によって払出された遊技球を貯留する上皿と、前記上皿の下方に設けられ、当該上皿の余剰の遊技球を貯留する下皿と、前記払出装置が取り付けられるベースドアと、前記ベースドアの前面側に設けられ、発射装置から発射された遊技球のうち遊技領域に到達しなかった遊技球を前記下皿に払い出すためのファール球通路と、前記ファール球通路に設けられ、当該ファール球通路内の遊技球が満杯になったことを検出する検出スイッチとを有する、ことを特徴とする。
【手続補正３】
【補正対象書類名】明細書
【補正対象項目名】００１１
【補正方法】変更
【補正の内容】
【００１１】
このように、ベースドアの前面側に設けられたファール球通路に遊技球が満杯になったことを検出する検出スイッチが設けられているので、当該ファール球通路に設けられる検出スイッチに対しては、ベースドアの前面側からメンテナンスを行うことができ、これにより検出スイッチのメンテナンスを容易に行うことが可能になる。
【手続補正４】
【補正対象書類名】明細書
【補正対象項目名】００１２
【補正方法】変更
【補正の内容】
【００１２】
請求項２に記載の本発明は、請求項１に記載の発明の構成に加えて、前記検出スイッチは、所定光量の光を発する発光部、および前記発光部から発光された光を受光するとともに受光した光を検出信号に変換する受光部からなるフォトセンサと、前記ファール球通路の内部に突出した部位を備え、前記ファール球通路が遊技球で満杯に達していないときには、前記発光部から前記受光部への光を遮断する位置となり、前記ファール球通路が遊技球で満杯に達したときは、前記部位が遊技球に押圧されて前記発光部から前記受光部への光路を形成する位置に回動するリンク部材とを有することを特徴とする。
【手続補正５】
【補正対象書類名】明細書
【補正対象項目名】００１３
【補正方法】変更
【補正の内容】
【００１３】
これにより、検出スイッチによってファール球通路内の遊技球が満杯になったことを検出することが可能になる。また、検出スイッチによってファール球通路内の遊技球が満杯になったことを検出することができるので、例えばファール球通路が遊技球で満杯（満タン）になったこと、またはファール球通路内で遊技球が球詰まりしたことを検出することができ、これにより遊技に支障をきたすことなく、遊技を円滑に実行することが可能になる。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
請求項６に記載の本発明は、請求項１〜５のうち何れか一項に記載の発明の構成に加えて、前記検出スイッチは、前記ファール球通路に設けられて遊技球の流下方向を変化させる屈曲部の頂点に設けられていることを特徴とする。
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
遊技機設置島に設置された遊技機から排出される排出玉を受け入れ、受け入れた前記排出玉を送出する遊技機用アウトタンク装置において、
前記遊技機用アウトタンク装置は、前記排出玉を受け入れるタンク部と、前記タンク部を支持する支持部と、前記遊技機設置島に固着されるベース部と、を有し、
前記タンク部または前記支持部のどちらか一方に前後方向に延設される案内溝を設けると共に他方に前記案内溝にスライド可能に係合するスライド部を設け、
前記案内溝を上下方向に複数設けることで、前記スライド部が係合する前記案内溝を変更可能にして前記タンク部の上下方向の位置を調整可能な上下方向位置調整機構を形成し、
前記タンク部または前記支持部のどちらか一方に第１係止凸部を有する第１弾性係止部を設けると共に他方に前記スライド部と前記案内溝とを係合することで前記第１係止凸部と係止する第１被係止部を設け、
前記第１被係止部を前記案内溝の延設方向に沿って設けた複数の凹部により構成することで、前記スライド部のスライドにより前記第１係止凸部が係止する前記凹部を変更可能にして前記タンク部の前後方向の位置を調整可能な前後方向位置調整機構を形成したことを特徴とする遊技機用アウトタンク装置。
【請求項２】
前記ベース部にベース部係合部を設け、前記支持部に前記ベース部係合部が係合するベース部側被係合部を設け、
前記ベース部係合部または前記ベース部側被係合部のどちらか一方に第２弾性係止部を設けると共に他方に前記第２弾性係止部に係止する第２被係止部を設け、
前記第２弾性係止部には第２係止凸部を形成すると共に、前記第２被係止部には複数の係止凹部を左右方向に形成することで、前記第２係止凸部が係止する前記係止凹部を変更可能にして前記タンク部の左右方向の位置を調整可能な左右方向位置調整機構を設けたことを特徴とする請求項１記載の遊技機用アウトタンク装置。
【請求項３】
前記タンク部に、受け入れた前記排出玉を送出するための送出口を有する傾斜通路を設け、
前記傾斜通路には、前記送出口に連通するように計数機を取り付け可能な計数機取付部を設け、
前記傾斜通路は、タンク部側傾斜通路と、計数機側傾斜通路とから構成され、
前記計数機側傾斜通路を前記タンク部側傾斜通路に取り付ける方向を、左右方向に変更可能にしたことを特徴とする請求項１又は２記載の遊技機用アウトタンク装置。
【請求項４】
前記タンク部に、受け入れた前記排出玉を送出するための送出口を有する傾斜通路を設け、
前記傾斜通路には、前記送出口に連通するように計数機を取り付け可能な計数機取付部を設け、
前記傾斜通路は、タンク部側傾斜通路と、計数機側傾斜通路とから構成され、
前記計数機側傾斜通路を前記タンク部側傾斜通路に対して回動可能に取り付けたことを特徴とする請求項１又は２記載の遊技機用アウトタンク装置。
【請求項５】
前記タンク部側傾斜通路を、前記タンク部の側面に設け、
前記タンク部の側面には、前記タンク部側傾斜通路に連通する切欠部を設けたことを特徴とする請求項３又は４記載の遊技機用アウトタンク装置。
【手続補正２】
【補正対象書類名】明細書
【補正対象項目名】００３１
【補正方法】変更
【補正の内容】
【００３１】
本発明は、タンク部を容易に位置調整することができ、遊技機設置島に配設した遊技機の玉排出口の位置が異なっていても、玉排出口から排出される排出玉を正しく受け入れる位置にタンク部を配置することができる遊技機用アウトタンク装置を提供することを目的とする。
【手続補正３】
【補正対象書類名】明細書
【補正対象項目名】００３５
【補正方法】変更
【補正の内容】
【００３５】
本発明の請求項１に係る発明は、遊技機設置島に設置された遊技機から排出される排出玉を受け入れ、受け入れた前記排出玉を送出する遊技機用アウトタンク装置において、前記遊技機用アウトタンク装置は、前記排出玉を受け入れるタンク部と、前記タンク部を支持する支持部と、前記遊技機設置島に固着されるベース部と、を有し、前記タンク部または前記支持部のどちらか一方に前後方向に延設される案内溝を設けると共に他方に前記案内溝にスライド可能に係合するスライド部を設け、前記案内溝を上下方向に複数設けることで、前記スライド部が係合する前記案内溝を変更可能にして前記タンク部の上下方向の位置を調整可能な上下方向位置調整機構を形成し、前記タンク部または前記支持部のどちらか一方に第１係止凸部を有する第１弾性係止部を設けると共に他方に前記スライド部と前記案内溝とを係合することで前記第１係止凸部と係止する第１被係止部を設け、前記第１被係止部を前記案内溝の延設方向に沿って設けた複数の凹部により構成することで、前記スライド部のスライドにより前記第１係止凸部が係止する前記凹部を変更可能にして前記タンク部の前後方向の位置を調整可能な前後方向位置調整機構を形成したことを特徴とする。
【手続補正４】
【補正対象書類名】明細書
【補正対象項目名】００３６
【補正方法】変更
【補正の内容】
【００３６】
請求項２に係る発明は、請求項１に記載した構成に加えて、前記ベース部にベース部係合部を設け、前記支持部に前記ベース部係合部が係合するベース部側被係合部を設け、前記ベース部係合部または前記ベース部側被係合部のどちらか一方に第２弾性係止部を設けると共に他方に前記第２弾性係止部に係止する第２被係止部を設け、前記第２弾性係止部には第２係止凸部を形成すると共に、前記第２被係止部には複数の係止凹部を左右方向に形成することで、前記第２係止凸部が係止する前記係止凹部を変更可能にして前記タンク部の左右方向の位置を調整可能な左右方向位置調整機構を設けたことを特徴とする。
【手続補正５】
【補正対象書類名】明細書
【補正対象項目名】００４７
【補正方法】変更
【補正の内容】
【００４７】
請求項２に係る発明によれば、更に、ベース部係合部またはベース部側被係合部のどちらか一方に第２係止凸部を有する第２弾性係止部を設け、もう一方に複数の係止凹部を左右方向に形成した第２被係止部を設け、第２係止凸部が係止する係止凹部を変更することにより、左右方向へのタンク部の位置調整が段階的に且つ容易に行なえるという効果がある。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
取水する吸込管と、
前記吸込管から水を吸引して加圧するポンプと、
前記水に酸素を含む気体を供給する気体供給口と、
前記気体が供給され、加圧された水のエネルギーを動力として回収する水車と、
を備えた酸素溶解システム。
【請求項２】
前記水車により回収した動力を前記ポンプの動力として用いることを特徴とする請求項１に記載の酸素溶解システム。
【請求項３】
前記気体供給口を前記ポンプの上流側に設けたことを特徴とする請求項１または２に記載の酸素溶解システム。
【請求項４】
前記水に供給する気体を圧縮するコンプレッサをさらに備え、
前記水車により回収した動力を前記コンプレッサの動力として用いることを特徴とする請求項１に記載の酸素溶解システム。
【請求項５】
前記水車により回収した動力により発電を行う発電機をさらに備えたことを特徴とする請求項１から４のいずれか一項に記載の酸素溶解システム。
【請求項６】
前記ポンプの起動時に前記水車に水エネルギーを供給する水エネルギー源と、
前記水車と前記ポンプの原動機との間に設けられたクラッチと、
をさらに備えたことを特徴とする請求項１から５のいずれか一項に記載の酸素溶解システム。
【請求項７】
請求項１から６のいずれか一項に記載の酸素溶解システムを用いて酸素溶解水を生成し、該酸素溶解水から微細気泡を生成することを特徴とする微細気泡発生システム。
【手続補正２】
【補正対象書類名】明細書
【補正対象項目名】００１２
【補正方法】変更
【補正の内容】
【００１２】
上記目的を達成するため、本発明の一態様によれば、河川、ダム、池または沼等の水に空気や酸素などの気体を微細気泡として発生させる微細気泡発生システムおよび酸素溶解システムが提供される。この微細気泡発生システムおよび酸素溶解システムは、取水する吸込管と、前記吸込管から水を吸引して加圧するポンプと、前記水に酸素を含む気体を供給する気体供給口と、前記気体が供給され、加圧された水のエネルギーを動力として回収する水車とを備えている。
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
予め定められた移行条件が成立した場合に、遊技状態を通常遊技状態とは遊技媒体の獲得期待値が異なる他の遊技状態へ移行させる状態移行手段と、
遊技媒体の獲得期待値に対応した設定値を複数段階備え、それら設定値の中から一の設定値を決定する設定値決定手段と、
当該設定値決定手段により決定される設定値を変更すべく操作される設定値変更手段と、
遊技状態が前記他の遊技状態である旨の遊技状態情報、及び前記設定値変更手段により変更された設定値変更情報を含む遊技に関する各種情報を一時記憶する一時記憶手段と
を備えた遊技機において、
前記設定値変更手段により設定値変更が開始される場合に、前記一時記憶手段に記憶された情報を消去する情報消去手段を備え、
さらに、前記一時記憶手段には前記情報消去手段により情報が消去されない保護記憶手段を設けるとともに、当該保護記憶手段に前記遊技状態情報を記憶させたことを特徴とする遊技機。
【請求項２】
前記保護記憶手段に記憶された前記遊技状態情報を消去する遊技状態情報消去手段と、当該遊技状態情報消去手段による遊技状態情報の消去を実行させるべく操作される消去操作手段とを備えたことを特徴とする請求項１に記載の遊技機。
【請求項３】
前記遊技状態情報消去手段は、前記一時記憶手段に記憶された情報をすべて消去する全情報消去手段であることを特徴とする請求項２に記載の遊技機。
【請求項４】
少なくとも前記状態移行手段、及び前記設定値決定手段を有し、遊技の進行を制御する主制御手段と、
外部電源と接続されて前記主制御手段に電源を供給する電源装置と、
当該電源装置による電源の供給を開始させるべく操作される電源投入操作手段とを備え、
さらに、前記設定値変更手段は、設定値変更を開始させるべく操作される変更開始操作手段と、当該変更開始操作手段が操作されることに基づいて設定値変更操作を有効化する操作有効化手段とを備え、
前記遊技状態情報消去手段は、前記消去操作手段が操作された状況で前記電源投入操作手段がＯＮ操作された場合に前記一時記憶手段の情報を消去し、
前記設定値変更手段は、前記操作有効化手段により前記設定値変更操作が有効化された状況で前記消去操作手段が操作されることにより前記設定値決定手段に決定される設定値を順次変更することを特徴とする請求項２又は３に記載の遊技機。
【請求項５】
少なくとも前記状態移行手段、及び前記設定値決定手段を有し、遊技の進行を制御する主制御手段と、
外部電源と接続されて前記主制御手段に電源を供給する電源装置と、
当該電源装置による電源の供給を開始させるべく操作される電源投入操作手段とを備え、
さらに、前記設定値変更手段は、設定値変更を開始させるべく操作される変更開始操作手段と、当該変更開始操作手段が操作されることに基づいて設定値変更操作を有効化する操作有効化手段とを備え、
前記遊技状態情報消去手段は、前記消去操作手段が操作された状況で前記電源投入操作手段がＯＮ操作された場合に前記一時記憶手段の情報を消去し、
前記操作有効化手段は、前記変更開始操作手段が操作された状況で前記電源投入操作手段がＯＮ操作された場合に前記設定値変更操作を有効化し、
前記消去操作手段及び前記変更開始操作手段が操作された状況で前記電源投入操作手段がＯＮ操作された場合、前記消去及び前記有効化の両方を行うことを特徴とする請求項２又は３に記載の遊技機。
【請求項６】
前記他の遊技状態にて所定の終了条件が成立した場合に、遊技状態を前記通常遊技状態に復帰させる状態復帰手段を備え、
前記保護記憶手段に前記終了条件に関する終了条件情報を記憶させたことを特徴とする請求項１乃至５のいずれか１に記載の遊技機。
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
複数の絵柄を可変表示する絵柄表示装置と、
絵柄の可変表示を開始させるべく操作される始動操作手段と、
前記絵柄の可変表示を停止させるべく操作される停止操作手段とを備え、
前記始動操作手段の操作に基づいて前記絵柄の可変表示を開始し、前記停止操作手段の操作に基づいて前記絵柄の可変表示を停止させる遊技機において、
通常遊技状態とは遊技者の有利度合いが異なり、且つ当該有利度合いが相対的に高低となる第１遊技状態及び第２遊技状態が予め設定されており、
さらに、前記始動操作手段の操作に基づいて抽選処理を実行する抽選手段と、
前記第１，第２遊技状態ではなく通常遊技状態の場合、前記抽選手段の抽選結果に基づいて、前記第１遊技状態又は前記第２遊技状態へ移行させる状態移行手段と
を備えたことを特徴とする遊技機。
【請求項２】
前記状態移行手段は、
前記抽選結果が第１移行契機役当選であって前記絵柄の可変表示領域における予め定められた有効位置に第１移行契機絵柄が停止した場合に、前記第１遊技状態に移行させる第１状態移行手段と、
前記抽選結果が第２移行契機役当選であって前記有効位置に第２移行契機絵柄が停止した場合に、前記第２遊技状態に移行させる第２状態移行手段と
を備えたことを特徴とする請求項１に記載の遊技機。
【請求項３】
前記抽選結果が付与役当選であって前記有効位置に付与役絵柄が停止した場合、遊技者に遊技媒体を付与する媒体付与手段と、
前記抽選結果が再遊技役当選であって前記有効位置に再遊技絵柄が停止した場合、前記遊技媒体を受け入れることなく次回の遊技を可能とする再遊技設定手段とを備え、
前記抽選手段は、前記通常遊技状態及び前記第１，第２遊技状態において前記付与役及び前記再遊技役の抽選を行い、
前記各移行契機役を、前記付与役及び前記再遊技役のいずれかとするとともに、
前記各移行契機絵柄を、各移行契機役に対応した前記付与役の付与絵柄又は前記再遊技役の再遊技絵柄としたことを特徴とする請求項２に記載の遊技機。
【請求項４】
前記絵柄表示装置は、周方向に周回するとともに当該周方向に前記絵柄が複数種付された複数の周回体を備え、前記停止操作手段を前記各周回体の周回を個別に停止させるよう複数設け、
さらに、前記各周回体について各絵柄のうち一部の絵柄を視認可能とする表示窓部と、
前記各周回体毎に設けられ、各周回体を周回させる駆動手段と、
前記始動操作手段の操作に基づいて前記各周回体の周回を開始させるよう前記各駆動手段を開始駆動制御する開始駆動制御手段と、
前記各停止操作手段の操作に基づいて対応する周回体の周回を停止させるよう前記各駆動手段を停止駆動制御する停止駆動制御手段とを備え、
前記絵柄の可変表示領域は前記表示窓部を介して視認可能な領域であり、当該視認可能な領域に前記有効位置を設定し、
さらに、前記停止駆動制御手段は、前記停止操作手段の操作タイミングから予め定められた規定期間内に対応する周回体の周回を停止させるよう前記各駆動手段を停止駆動制御するとともに、前記周回体の周回を停止させる停止態様として、前記停止操作手段の操作タイミングで前記有効位置に到達している到達絵柄を前記周回体の周回する側に予め定めた絵柄数分だけ移動させた後に停止させる停止態様を有し、
前記有効位置に先に到達する移行契機絵柄と、前記有効位置に次に到達する同種の移行契機絵柄の間隔が、前記規定期間に前記到達絵柄の移動できる最大絵柄数以下となるように、前記各移行契機絵柄を前記各周回体に付したことを特徴とする請求項２又は３に記載の遊技機。
【請求項５】
前記第１遊技状態を前記通常遊技状態よりも有利な有利遊技状態とし、前記第２遊技状態を前記通常遊技状態よりも不利な不利遊技状態としたことを特徴とする請求項１乃至４のいずれか１に記載の遊技機。
【請求項６】
前記抽選結果が再遊技役当選であって前記絵柄の可変表示領域における予め定められた有効位置に再遊技絵柄が停止した場合、遊技媒体を受け入れることなく次回の遊技を可能とする再遊技設定手段と、
前記再遊技役の当選確率を複数段階のいずれかに設定する再遊技確率設定手段とを備え、
前記再遊技確率設定手段は、前記通常遊技状態及び前記第１，第２遊技状態のそれぞれにおいて異なる当選確率を設定することを特徴とする請求項１，２，４，５のいずれか１に記載の遊技機。
【請求項７】
前記抽選結果が特定役当選であって前記絵柄の可変表示領域における予め定められた有効位置に特定絵柄が停止した場合、遊技状態を遊技者に有利な特別遊技状態に移行させる特別遊技状態移行手段を備え、
当該特別遊技状態移行手段による前記特別遊技状態への移行を、前記通常遊技状態及び前記第１，第２遊技状態のいずれからでも可能としたことを特徴とする請求項１乃至６のいずれか１に記載の遊技機。
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
少なくとも特定方向に向けて光を照射可能な光源と、
前記光源の光の照射側に設けられ、透明又は半透明の素材で構成された透明体とを具備し、
前記透明体は、
前記特定方向側の面に、前記特定方向に向けて拡径する先端面側凹部が形成された基部と、
前記基部に一体形成され、前記基部の外周縁部から前記特定方向側に向けて突出する複数の突起部とを備え、
前記透明体を、前記光源の中心軸の延長線上に前記先端面側凹部の中心軸が延在するよう配置して、
前記光源から発せられた光を前記透明体内部に入射させるとともに、当該透明体内部に入射した光のうち、前記先端面側凹部を構成する面に当たった光を、前記先端面側凹部の外周方向に向けて反射させる構成とし、
前記光源から発せられ、前記透明体内部に入射した光のうち、少なくとも前記先端面側凹部を構成する面に反射された光を反射可能な位置に、当該光を前記突起部の先端部に向けて反射する案内面を形成したことを特徴とする遊技機。
【請求項２】
前記先端面側凹部は、前記各突起部に向けて傾斜する複数の傾斜平面により形成されていることを特徴とする請求項１に記載の遊技機。
【請求項３】
前記基部は、前記先端面側凹部を形成する前記各傾斜平面から、当該各傾斜平面に対応する前記突起部の基端部に形成された前記案内面にかけて延びる根部と、隣接する前記根部同士の間から前記光源側に向かって突出し、前記透明体を被取付部に係止するための係止部とを一体的に備えることを特徴とする請求項２に記載の遊技機。
【請求項４】
前記透明体は、前記先端面側凹部の中心軸を軸心として回転可能に設けられていることを特徴とする請求項１乃至３のいずれかに記載の遊技機。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
表示状態を変化させることが可能な複数の可変表示体からなる可変表示手段と、
遊技者の操作に基づいて所定個数の遊技媒体を取り込む遊技媒体取り込み手段と、
遊技者の操作に基づいて前記可変表示手段による前記表示状態の変動を開始させる始動操作手段と、
前記遊技媒体取り込み手段によって所定個数の前記遊技媒体が取り込まれると、前記始動操作手段による始動操作を許容する始動操作許容手段と、
前記可変表示手段の前記複数の可変表示体による前記表示状態の変動を、遊技者の操作に基づいて個々に停止させる停止操作手段と、
前記可変表示手段、遊技媒体取り込み手段、始動操作手段、始動操作許容手段、及び、停止操作手段を制御する主制御手段と、
前記遊技媒体の払い出しを行う払い出し手段を制御する払出制御手段と、
前記主制御手段の状態を示す信号を外部へと送信する外部出力手段と
を備え、
前記主制御手段は、
一回のゲームごとに予め決められた役の当選または落選の抽選を行う内部抽選手段、
前記始動操作許容手段により前記始動操作が許容されると、前記始動操作手段の操作に基づいて、前記内部抽選手段による抽選を実行させて、該抽選の結果を決定する抽選結果決定手段、
前記始動操作許容手段により前記始動操作が許容されると、前記始動操作手段の操作に基づいて、前記可変表示手段の前記表示状態の変動を開始させる表示変動開始手段、
前記停止操作手段の操作に応じて前記可変表示体の変動を停止させ、前記可変表示手段の表示結果を導出する表示結果導出手段、
該表示結果導出手段により導出される表示結果の判定を行うゲーム結果判定手段、
及び、前記ゲーム結果判定手段による前記ゲームの判定結果に応じて、獲得した役に応じた所定数の遊技媒体を払い出す払出コマンドを送信する払出コマンド送信手段を有して構成され、
前記払出制御手段は、
前記払出コマンド送信手段によって送信された前記払出コマンドを受信する払出コマンド受信手段、
前記払い出し手段によって所定個数の前記遊技媒体が払い出されると、払出完了コマンドを送信する払出完了コマンド送信手段、
供給される電源が切断されると、制御に関わる情報を保存し、再度供給が開始された場合に、該保存した情報を基に制御を再開する払出制御再開手段、
及び、前記払出制御手段に電源が供給され、制御に関わる情報をクリアして起動した場合に、復帰後の情報としてコールドスタート状態を示す信号を前記主制御手段へと送信する払出状態コマンド送信手段、を有して構成されていることを特徴とする回胴式遊技機。
【請求項２】
請求項１記載の遊技機において、前記遊技機は停止したゲームを復帰させるゲーム復帰操作手段をさらに具備し、
前記主制御手段は、
前記コールドスタートコマンドを受信した場合にゲームを停止させるゲーム停止手段と、
該ゲーム停止手段によって停止手段によってゲームが停止した場合に、前記ゲーム復帰操作手段の操作に基づいて停止した前記ゲームを復帰させるゲーム復帰手段を具備していることを特徴とした遊技機。
【請求項３】
請求項１または請求項２記載の遊技機において、
前記主制御手段は、
所定の制御処理を実現するために所定の間隔で割込み処理を繰り返し実行し、該繰り返し実行される割込み処理の一環として前記払出制御手段に対する２バイト以上のコマンドを生成する送信側ＣＰＵと、
該送信側ＣＰＵによって生成された前記２バイト以上のコマンドを、前記払出制御手段に対して１バイト単位でシリアル転送する第１のシリアル通信ユニットとを備え、
該第１のシリアル通信ユニットは、
前記払出状態コマンド送信手段と、
１バイトの記憶容量を有し、前記生成されたコマンドを前記送信側ＣＰＵから受け取り、該受取られたコマンドをシリアルデータに変換するために記憶する第１のバッファレジスタとを備え、
前記送信側ＣＰＵは、前記繰り返し実行される割込み処理のうち所定の１回の割込み処理内に、前記第１のシリアル通信ユニットに対して、前記２バイト以上のコマンドのうちの２バイト分を１バイト毎に次々と引渡し、
前記第１のシリアル通信ユニットは、前記所定の１回の割込み処理内に、前記引き渡された２バイト分のコマンドのうち最初に引き渡された先頭コマンドを、前記第１のバッファレジスタ経由で前記第１のシフトレジスタに格納すると共に、該先頭のコマンドの次に引き渡された後続コマンドを、前記第１のバッファレジスタに格納することを特徴とした遊技機。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
靴本体部と靴底部とで構成される靴であって、靴本体部は、未架橋ゴム配合材により造形された靴本体部が型での圧縮を受けずに架橋されたものであり、ゴム配合材が中空無機微小球及び補強性充填材を含有していることを特徴とする軽量靴。
【請求項２】
靴本体部を構成するゴム配合材が、比重において１．００以下、引張強度において１２ＭＰａ以上、硬度において５０〜６５の物性を有し、最も薄い部分の厚さにおいて１．０〜２．２ｍｍであることを特徴とする請求項１ に記載の軽量靴。
【請求項３】
ゴムに少なくとも中空無機微小球及び補強性充填材を配合してなる未架橋ゴム配合材をシート化し、シート化した未架橋ゴム配合材から靴本体部を造形したのち、これを加熱炉で架橋する工程、靴本体部と別途作製した靴底を接合する工程を有することを特徴とする軽量靴の製造方法。
【手続補正２】
【補正対象書類名】明細書
【補正対象項目名】０００７
【補正方法】変更
【補正の内容】
【０００７】
本発明は、ゴムに中空無機微小球を配合することが軽量化に効果があるとともに、補強性充填材との併用により、必要な引張強度を確保しつつゴム配合材自体の表面に発生する皺などの変形を大きく抑制する効果があるとの知見を得てなされたものである。
すなわち、本発明の軽量靴は、靴本体部と靴底部とで構成される靴であって、靴本体部は、未架橋ゴム配合材により造形された靴本体部が圧縮を受けずに架橋されたものであり、ゴム配合材が中空無機微小球及び補強性充填材を含有していることを特徴とする。
また、好ましい態様の軽量靴は、靴本体部を構成するゴム配合材が、比重において１．００以下、引張強度において１２ Ｍ Ｐ ａ 以上、硬度において５０〜６５の物性を有し、最も薄い部分の厚さにおいて１． ０ 〜 ２ ． ２ ｍ ｍ である。
【手続補正書】
【提出日】平成21年3月16日(2009.3.16)
【手続補正１】
【補正対象書類名】特許請求の範囲
【補正対象項目名】請求項３
【補正方法】変更
【補正の内容】
【請求項３】
流動化工程で、基部を鋳造物の下穴部に圧入する設定圧入量Ｂ２は、回転工具圧入前における下穴の深さ寸法Ｈｈ未満に設定され（Ｂ２＜Ｈｈ）、かつ鋳造物に没入する部分の回転工具の体積Ｖｐが回転工具圧入前における下穴の容積Ｖｈ以上（Ｖｐ≧Ｖｈ）となる値に設定されることを特徴とする請求項２記載の鋳造物の組織改質方法。
【手続補正２】
【補正対象書類名】明細書
【補正対象項目名】００８３
【補正方法】変更
【補正の内容】
【００８３】
また基部３１を鋳造物１９の下穴部３６に圧入する設定圧入量Ｂ２は、回転工具圧入前における鋳造物１９の下穴３４の深さ寸法Ｈｈよりも小さく設定され（Ｂ２＜Ｈｈ）、かつ鋳造物１９に没入する部分の回転工具の体積Ｖｐが、回転工具圧入前の下穴３４の容積Ｖｈ以上（Ｖｐ≧Ｖｈ）となる値に設定される。ここで設定圧入量Ｂ２は、基部３１が下穴部３６に圧入した状態における、下穴部３６の上面７０から基部３１の軸線方向一端部３１ａまでの軸線方向寸法である。また鋳造物１９に没入する部分の回転工具２０の没入体積Ｖｐは、基部３１が没入した状態における、下穴部３６の上面７０よりも軸線方向一方Ｚ１側のプローブ３３の体積である。
【手続補正３】
【補正対象書類名】明細書
【補正対象項目名】０１００
【補正方法】変更
【補正の内容】
【０１００】
下穴３４が円錐台状に形成される場合であっても、基部３１を鋳造物１９の下穴部３６に圧入する設定圧入量Ｂ２は、回転工具圧入前における下穴３４の深さ寸法Ｈｈ未満に設定され（Ｂ２＜Ｈｈ）、かつ鋳造物に没入する部分の回転工具の体積Ｖｐが、回転工具圧入前の下穴３４の容積Ｖｈ以上（Ｖｐ≧Ｖｈ）となる値に設定される。
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
木材等の被破砕物を破砕する破砕機構と、
前記破砕機構が配置される破砕室と、
装置本体に開閉可能に取り付けられ、前記破砕室から排出された破砕物の飛散を抑える排出樋と、
を備える破砕装置。
【請求項２】
前記排出樋には、前記破砕機構によって破砕された破砕物が排出される破砕網が取り付けられる請求項１に記載の破砕装置。
【請求項３】
前記破砕機構は、回転駆動する回転軸と、前記回転軸に対して軸線方向に並んで取り付けられる複数の支持板と、前記支持板に形成された貫通孔に挿通されて前記支持板に取り付けられるハンマ軸と、前記ハンマ軸に支持されると共に、前記回転軸が回転した際に前記支持板及び前記ハンマ軸と共に前記回転軸周りを回転することで被破砕物を破砕する複数のハンマと、を備え、
前記回転軸の所定の回転位置で、前記ハンマ軸が破砕室の外側へ露出することを特徴とする請求項１又は２に記載の破砕装置。
【請求項４】
前記破砕網は、前記排出樋に交換可能に取り付けられることを特徴とする請求項１〜３何れか１項に記載の破砕装置。
【請求項５】
前記排出樋は、前記排出樋の上端で前記装置本体と軸支され、前記排出樋を上方に回動させて開放することを特徴とする請求項１〜４何れか１項に記載の破砕装置。
【請求項６】
前記破砕網を前記ハンマ軸の回転軌跡に沿って湾曲させたことを特徴とする請求項１〜５何れか１項に記載の破砕装置。
【手続補正２】
【補正対象書類名】明細書
【補正対象項目名】０００６
【補正方法】変更
【補正の内容】
【０００６】
本発明の請求項１に係る破砕装置は、木材等の被破砕物を破砕する破砕機構と、前記破砕機構が配置される破砕室と、装置本体に開閉可能に取り付けられ、前記破砕室から排出された破砕物の飛散を抑える排出樋と、を備えることを特徴とする。
上記構成によれば、排出樋を開放することで破砕室に残留した破砕物を掻き出す広いスペースが確保され、作業者は破砕室に残留した破砕物を容易に掻き出すことができる。
【手続補正３】
【補正対象書類名】明細書
【補正対象項目名】０００７
【補正方法】変更
【補正の内容】
【０００７】
本発明の請求項２に係る破砕装置は、請求項１記載において、前記排出樋には、前記破砕機構によって破砕された破砕物が排出される破砕網が取り付けられることを特徴とする。
上記構成によれば、破砕網が排出樋に取り付けられているため、排出樋を開放することで破砕網も同時に開放される。これにより、破砕室に残留した破砕物を掻き出す広いスペースが確保され、作業者は破砕室に残留した破砕物を容易に掻き出すことができる。
【手続補正４】
【補正対象書類名】明細書
【補正対象項目名】０００８
【補正方法】変更
【補正の内容】
【０００８】
本発明の請求項３に係る破砕装置は、請求項１又は２に記載において、前記破砕機構は、回転駆動する回転軸と、前記回転軸に対して軸線方向に並んで取り付けられる複数の支持板と、前記支持板に形成された貫通孔に挿通されて前記支持板に取り付けられるハンマ軸と、前記ハンマ軸に支持されると共に、前記回転軸が回転した際に前記支持板及び前記ハンマ軸と共に前記回転軸周りを回転することで被破砕物を破砕する複数のハンマと、を備え、前記回転軸の所定の回転位置で、前記ハンマ軸が破砕室の外側へ露出することを特徴とする。
【手続補正５】
【補正対象書類名】明細書
【補正対象項目名】００１０
【補正方法】変更
【補正の内容】
【００１０】
本発明の請求項４に係る破砕装置は、請求項１〜３何れか１項に記載において、前記破砕網は、前記排出樋に交換可能に取り付けられることを特徴とする。
【手続補正６】
【補正対象書類名】明細書
【補正対象項目名】００１２
【補正方法】変更
【補正の内容】
【００１２】
本発明の請求項５に係る破砕部材は、請求項１〜４何れか１項に記載において、前記排出樋は、前記排出樋の上端で前記装置本体と軸支され、前記排出樋を上方に回動させて開放することを特徴とする。
【手続補正７】
【補正対象書類名】明細書
【補正対象項目名】００１４
【補正方法】変更
【補正の内容】
【００１４】
本発明の請求項６に係る破砕部材は、請求項１〜５何れか１項に記載において、前記破砕網を前記ハンマ軸の回転軌跡に沿って湾曲させたことを特徴とする。
【手続補正書】
【提出日】平成21年1月6日(2009.1.6)
【手続補正１】
【補正対象書類名】明細書
【補正対象項目名】００５８
【補正方法】変更
【補正の内容】
【００５８】
係合部９０の先端部はラッパ状に開口し、このラッパ状開口部９０ａ，９０ｂの外周面（傾斜面）９１ａ，９１ｂに沿うように、ロックリング６６の内周面も傾斜した当接面９７となされる。当接面９７はロック時における係合部９０に対する押圧面として機能する。
【手続補正２】
【補正対象書類名】明細書
【補正対象項目名】００５９
【補正方法】変更
【補正の内容】
【００５９】
ラッパ状開口部９０ａ，９０ｂの外周面９１ａ，９１ｂの内側には、この例ではくさび状をなす係合爪９４ａ，９４ｂが一体成形されている。係合爪９４ａ，９４ｂに対向する径小部４２ａには係合溝６２が設けられる。したがって、係合溝６２の形状は係合爪９４ａ，９４ｂに対応したくさび状をなす環状凹部となっている。
【手続補正３】
【補正対象書類名】明細書
【補正対象項目名】００６２
【補正方法】変更
【補正の内容】
【００６２】
付勢バネ７０の作用でロックリング６６は常に下方向に付勢されているため、軸支手段６０を駆動軸４２に嵌合した状態では、図４に示すようにロックリング６６の当接面９７によって外周面９１ａ，９１ｂが押圧されるから、係合爪９４ａ、９４ｂが係合溝６２内に嵌り込んで、ロック状態つまりターンテーブル５２が駆動軸４２にロックされた状態となっている。
【手続補正４】
【補正対象書類名】明細書
【補正対象項目名】００６６
【補正方法】変更
【補正の内容】
【００６６】
図示するハンマー機構１２０はハンマー機構本体を支持する固定円盤１１０を有する。固定円盤１１０の外周端は、図７に示すようにホッパー２０の内周壁２１ａに対して放射状に突出するように設けられた複数、この例では１８０°対向する位置に設けられた一対の載置部１１２に載置固定される。
【手続補正５】
【補正対象書類名】明細書
【補正対象項目名】００６８
【補正方法】変更
【補正の内容】
【００６８】
ハンマー機構１２０の本体は、固定円盤１１０上に載置された一対のハンマー１２２（１２２ａ，１２２ｂ）と、このハンマー１２２を回転盤１１４に連結する一対の連結チェーン１２４（１２４ａ，１２４ｂ）とで構成される。ハンマー１２２は連結チェーン１２４によって回転盤１１４に連結されるものであるから、ハンマー１２２は揺動自在に回転盤１１４に取り付けられたことになる。ハンマー１２２と対峙するホッパー２０の内周壁２１ａには上述したと同様な破砕刃５８が取着される。
【手続補正６】
【補正対象書類名】図面
【補正対象項目名】図４
【補正方法】変更
【補正の内容】
【図４】
2007275743.tif 000001
【手続補正７】
【補正対象書類名】図面
【補正対象項目名】図５
【補正方法】変更
【補正の内容】
【図５】
2007275743.tif 000002
【手続補正８】
【補正対象書類名】図面
【補正対象項目名】図７
【補正方法】変更
【補正の内容】
【図７】
2007275743.tif 000003
【手続補正書】
【提出日】平成21年4月3日(2009.4.3)
【手続補正１】
【補正対象書類名】明細書
【補正対象項目名】００２１
【補正方法】変更
【補正の内容】
【００２１】
また、眼底カメラ本体部１００内には演算部２１が設けられており、演算部２１の出力は撮影光量変更手段２２を介して撮影用光源３に接続され、倍率変更手段２３を介して変倍レンズユニット１３に接続されている。更に、眼底カメラ本体部１００の後面には、撮像ユニット２００ａの着脱を検知する着脱検知手段２４が取り付けられており、着脱検知手段２４の出力は演算部２１に接続されている。また、眼底カメラ本体部１００内には、後述する撮像ユニットの情報を受信する入力手段２５の出力が演算部２１に接続されている。
【手続補正２】
【補正対象書類名】明細書
【補正対象項目名】００２２
【補正方法】変更
【補正の内容】
【００２２】
眼底カメラ本体部１００の後面には、撮像ユニット２００ａが着脱自在に取り付けられている。この撮像ユニット２００ａ内には、図６に示す撮像素子Ａに相当する撮像素子３０ａと撮像素子情報通信装置３１ａが内蔵され、撮影光学系Ｏ２の光路上に撮像素子３０ａが配置されている。また、撮像素子情報通知装置３１ａの出力は、眼底カメラ本体部１００内の入力手段２５に接続されている。